(57)【要約】【課題】シンクと天板との取り合い箇所の意匠性を都合良く向上できるようにする。【解決手段】フランジ４を天板Ｃの開口Ｃａを巡る上面に引っかけるようにしてこの開口Ｃａに落とし込まれて設置されるシンクＳである。ステンレス製のシンク本体１と、このシンク本体１の口部１ｄに形成された外鍔１ｅの上面に部材下面２ａの少なくとも一部を添着させてこのシンク本体１の口部１ｄを囲う人造大理石製の化粧部材２とを備え、この化粧部材２により前記フランジ４を構成させてなる。【選択図】図２
2011102466.tif 000002
【特許請求の範囲】
【請求項１】
フランジを天板の開口を巡る上面に引っかけるようにしてこの開口に落とし込まれて設置されるシンクであって、
ステンレス製のシンク本体と、
このシンク本体の口部に形成された外鍔の上面に部材下面の少なくとも一部を添着させてこのシンク本体の口部を囲う人造大理石製の化粧部材とを備え、
この化粧部材により前記フランジを構成させてなることを特徴とするシンク。
【請求項２】
フランジを天板の開口を巡る上面に引っかけるようにしてこの開口に落とし込まれて設置されるシンクであって、
ステンレス製のシンク本体と、
このシンク本体の口部に形成された外鍔の上面に部材下面の少なくとも一部を添着させてこのシンク本体の口部を囲う人造大理石製の化粧部材と、
この化粧部材との間にシンク本体の外鍔を挟み込む人造大理石製の座板とを備え、
この化粧部材及び座板により前記フランジを構成させてなることを特徴とするシンク。
【請求項３】
化粧部材が、シンク本体の口部の内方に突き出し垂下する内側化粧部を備えていることを特徴とする請求項１又は請求項２に記載の記載のシンク。
【発明の詳細な説明】
【技術分野】
【０００１】
この発明は、流し台や洗面化粧台などの水回りの設備を構成する天板に設けられた開口に落とし込まれて設置されるタイプのシンクの改良に関する。
【背景技術】
【０００２】
ステンレス製のオーバーカウンターシンクＳは、その口部に外鍔１００を備え、この外鍔１００を天板Ｃの開口Ｃａを巡る上面に引っかけるようにしてこの開口Ｃａに落とし込まれて設置される。（図５、図６）外鍔１００と天板Ｃとの取り合い部分はコーキング材によりシールされる。すなわち、従来のこの種のシンクにあっては、天板ＣとシンクＳとの間の見切りについての配慮は特になされていなかった。
【発明の概要】
【発明が解決しようとする課題】
【０００３】
この発明が解決しようとする主たる問題点は、この種のシンクと天板との取り合い箇所の意匠性を都合良く向上できるようにする点にある。
【課題を解決するための手段】
【０００４】
前記課題を達成するために、この発明にあっては、第一の観点から、シンクを、フランジを天板の開口を巡る上面に引っかけるようにしてこの開口に落とし込まれて設置されるシンクであって、
ステンレス製のシンク本体と、
このシンク本体の口部に形成された外鍔の上面に部材下面の少なくとも一部を添着させてこのシンク本体の口部を囲う人造大理石製の化粧部材とを備え、
この化粧部材により前記フランジを構成させてなるものとした。
【０００５】
また、前記課題を達成するために、この発明にあっては、第二の観点から、シンクを、
フランジを天板の開口を巡る上面に引っかけるようにしてこの開口に落とし込まれて設置されるシンクであって、
ステンレス製のシンク本体と、
このシンク本体の口部に形成された外鍔の上面に部材下面の少なくとも一部を添着させてこのシンク本体の口部を囲う人造大理石製の化粧部材と、
この化粧部材との間にシンク本体の外鍔を挟み込む人造大理石製の座板とを備え、
この化粧部材及び座板により前記フランジを構成させてなるものとした。
【０００６】
かかる構成によれば、ステンレス製のシンク本体と天板との取り合い箇所に人造大理石製の化粧部材を配して、この化粧部材により流し台のカウンターなどの意匠性を向上させることができる。また、シンク本体に組み合わされる化粧部材の種類を変えることで、意匠性の異なるシンクを容易に構成することができる。すなわち、形状、材質の異なる複数の化粧部材を必要に応じて選択してシンク本体と組み合わせることにより、意匠性の異なるシンクを容易に構成することができる。また、人造大理石にはコーキング材の打ち込み用の溝などを必要に応じて所望の箇所に容易に形成できることから、フランジと天板との間のシールを都合良くなすことができる。
【０００７】
前記化粧部材がさらに、シンク本体の口部の内方に突き出し垂下する内側化粧部を備えるようにしておけば、シンク本体と天板との取り合い箇所に連続してシンク本体の上部側の内側をも人造大理石により化粧することができる。
【発明の効果】
【０００８】
この発明によれば、この種のシンクと天板との取り合い箇所の意匠性を都合良く向上させることができる。
【図面の簡単な説明】
【０００９】
【図１】図１はシンクの設置状態の平面図である。
【図２】図２は第一例にかかるシンクの設置状態の要部縦断面図である。
【図３】図３は第二例にかかるシンクの設置状態の要部縦断面図である。
【図４】図４は第三例にかかるシンクの設置状態の要部縦断面図である。
【図５】図５は従来のシンクの設置状態の平面図である。
【図６】図６は従来のシンクの設置状態の側面図である。
【発明を実施するための形態】
【００１０】
以下、図１〜図４に基づいて、この発明の典型的な実施の形態について説明する。この実施の形態にかかるシンクＳは、流し台や洗面化粧台などの水回りの設備を構成する天板Ｃに設けられたシンクＳの取り付け用の開口Ｃａに落とし込まれて設置されるタイプのシンクＳである。（オーバーカウンターシンクなどと称される。）かかるシンクＳはその上部にフランジ４を備えており、このフランジ４を天板Ｃの開口Ｃａを巡る上面に引っかけるようにして設置される。
【００１１】
かかるシンクＳは、ステンレス製のシンク本体１と、人造大理石製の化粧部材２とを備えている。
【００１２】
シンク本体１は、底板１ａとこの底板１ａを囲うように形成される側板１ｂとを備え上面を開放させてなり、底面１ａに排水口１ｃを備える。シンク本体１の口部１ｄ、つまり、前記側板１ｂの上縁部には外鍔１ｅが形成されている。この外鍔１ｅはシンク本体１の口部１ｄの外側に周設されている。シンク本体１の外径は、前記天板Ｃの開口Ｃａよりも小さい。
【００１３】
化粧部材２は、合成樹脂を主体とした人造大理石により構成されている。かかる化粧部材２は、シンク本体１の口部１ｄに形成された前記外鍔１ｅの上面に部材下面２ａの少なくとも一部を添着させてこのシンク本体１の口部１ｄを囲うように備えられる。
【００１４】
そして、図２に示される第一例にあっては、このように備えられる化粧部材２によりシンクＳの前記フランジ４を構成させている。また、図３に示される第二例及び図４に示される第三例にあっては、このように備えられる化粧部材２と後述の座板３とにより前記フランジ４を構成させている。すなわち、化粧部材２は平面視の状態で額縁状をなし、シンク本体１はこの額縁状をなす化粧部材２の内側に位置される。典型的には、左右一対の化粧部材２’、２’と、前後一対の化粧部材２”、２”とを組み合わせて、フランジ４を構成させるようにする。（図１）一枚の人造大理石の板材から、額縁状に化粧部材２を切り出して、フランジ４を構成させることもできる。
【００１５】
この実施の形態にかかるシンクＳにあっては、ステンレス製のシンク本体１と天板Ｃとの取り合い箇所に人造大理石製の化粧部材２を配して、この化粧部材２により流し台のカウンターなどの意匠性を向上させることができる。シンク本体１に組み合わされる化粧部材２の種類を変えることで、意匠性の異なるシンクＳを容易に構成することができる。すなわち、形状、材質の異なる複数の化粧部材２を必要に応じて選択してシンク本体１と組み合わせることにより、意匠性の異なるシンクＳを容易に構成することができる。また、人造大理石にはコーキング材９の打ち込み用の溝５などを必要に応じて所望の箇所に容易に形成できることから、フランジ４と天板Ｃとの間のシールを都合良くなすことができる。
【００１６】
（第一例）
図２に示される第一例にあっては、化粧部材２は、長さと幅とを備えた板状をなすように構成されている。化粧部材２の長さ方向に沿った両側縁のうち、シンク本体１の側に位置される内側縁２ｂはシンク本体１の側板１ｂの内面と同面上に位置されている。化粧部材２の外側縁２ｃ側が天板Ｃにおける開口Ｃａを巡る上面に引っかかるようになっている。化粧部材２は、その部材下面２ａにおけるこの内側縁２ｂ側に位置される箇所をシンク本体１の外鍔１ｅの上面に添着させている。化粧部材２の幅方向略中程の位置には、角棒状をなす人造大理石製の仕切り部材６の上端面が接着されていると共に、この仕切り部材６とシンク本体１との間にはウレタン樹脂充填剤などの充填剤７が充填されている。化粧部材２の内側縁２ｂ側では部材下面２ａにコーキング材９の打ち込み用の溝５が化粧部材２の長さ方向に沿って刻設され、この溝５に打ち込まれるコーキング材９により外鍔１ｅと化粧部材２との間のシールがなされている。また、化粧部材２の外側縁２ｃ側にも部材下面２ａにコーキング材９の打ち込み用の溝５が化粧部材２の長さ方向に沿って刻設され、この溝５に打ち込まれるコーキング材９により化粧部材２と天板Ｃとの間のシールがなされている。
【００１７】
（第二例）
図３に示される第二例にあっては、化粧部材２は、長さと幅とを備えた板状をなすように構成されている。化粧部材２の長さ方向に沿った両側縁のうち、シンク本体１の側に位置される内側縁２ｂはシンク本体１の側板１ｂの内面と同面上に位置されている。化粧部材２の外側縁２ｃ側が天板Ｃにおける開口Ｃａを巡る上面に引っかかるようになっている。化粧部材２は、その部材下面２ａにおけるこの内側縁２ｂ側に位置される箇所をシンク本体１の外鍔１ｅの上面に添着させている。
【００１８】
また、この第二例にあっては、かかる化粧部材２との間にシンク本体１の外鍔１ｅを挟み込む人造大理石製の座板３とを備えており、かかる化粧部材２及び座板３により前記フランジ４を構成させている。図示の例では、座板３は角棒状をなす外側材３ａと、板状をなす内側材３ｂとを組み合わせてなる。外側材３ａと内側材３ｂの厚さは同一であり、内側材３ｂの外端に外側材３ａが寄せ付けられている。外側材３ａの外端は化粧部材２の外側縁２ｃと同面上に位置されている。かかる座板３と化粧部材２とは接着により一体化されている。
【００１９】
化粧部材２の内側縁２ｂ側では部材下面２ａにコーキング材９の打ち込み用の溝５が化粧部材２の長さ方向に沿って刻設され、この溝５に打ち込まれるコーキング材９により外鍔１ｅと化粧部材２との間のシールがなされている。また、座板３の外側材３ａの下面にもコーキング材９の打ち込み用の溝５がこの下側材の長さ方向に沿って刻設され、この溝５に打ち込まれるコーキング材９により座板３と天板Ｃとの間のシールがなされている。
【００２０】
（第三例）
図４に示される第三例にあっては、化粧部材２は、シンク本体１の口部１ｄの内方に突き出し垂下する内側化粧部８を備えている。この第三例にあっては、化粧部材２の内側縁２ｂはシンク本体１の側板１ｂの上縁部よりも内方に突き出されている。そして、この化粧部材２の突きだし箇所の部材下面２ａに人造大理石製の板材８ｂの上端部８ａを接着させている。かかる板材８ｂは化粧部材２の内側縁２ｂに亘る長さを備え、その長さ方向に沿った厚さ側の端面の一方を前記化粧部材２に接着される上端部８ａとしている。また、この板材８ｂのシンク本体１の内方に向けられた側面は化粧部材２の内側縁２ｂと同面上に位置されている。この第三例によれば、シンク本体１と天板Ｃとの取り合い箇所に連続してシンク本体１の上部側の内側をも人造大理石により化粧することができる。この第三例のその余の構造は、第二例と実質的に同一であるので、その余の構造部分については図４に第二例で用いた符号と同一の符号を付して説明は省略する。
【符号の説明】
【００２１】
Ｃ  天板
Ｃａ  開口
Ｓ  シンク
１  シンク本体
１ｄ  口部
１ｅ  外鍔
２  化粧部材
２ａ  部材下面
４  フランジ
【図１】
2011102466.tif 000003
【図２】
2011102466.tif 000004
【図３】
2011102466.tif 000005
【図４】
2011102466.tif 000006
【図５】
2011102466.tif 000007
【図６】
2011102466.tif 000008